(57)【要約】【課題】落下などによる外部からの衝撃力に対しても、収納されたコアパックを確実に保護することができるとともに、コストの増大を招き難い構成のパック電池を提供する。【解決手段】電池パックは、下ケース部材１２のコーナー部分（Ｃ部分）において、その側壁１２ｂの開口縁に溝部１２ｄが刻設されている。溝部１２ｄは、コーナー部分を起点とし、Ｘ軸方向およびＹ軸方向の両方向に向けて延びている。溝部１２ｄには、当該溝部１２ｄの形状に対応してＬ字状に曲折加工されたピアノ線からなる保護部材５０が填め込まれている。これより、保護部材５０であるピアノ線は、下ケース部材１２における当該コーナー部分の機械的強度の向上を図り、コーナー部分に対し外部から加わる衝撃力に対して、コアパックを保護する役割を果たす。【選択図】図３
2011198472.tif 000002
【特許請求の範囲】
【請求項１】
外観視においてコーナー部分が含まれる外装ケースと、
１または複数の素電池を含み、前記外装ケース内に収納されるコアパックとを備え、
前記コーナー部分に対応した領域において、前記外装ケースの外壁面と、当該コーナー部分に対応する前記コアパックの一部との間に、保護部材が配設されており、
前記保護部材は、前記コーナー部分を起点とする前記外装ケースの２側壁、あるいは、前記外装ケースの２側壁に対応する前記コアパックの２外面、の何れかに沿って曲折された形状である
ことを特徴とする電池パック。
【請求項２】
前記外装ケースは、ともに皿状をした第１ケース部材と第２ケース部材とが、互いの開口部同士を向い合せに組み合わせることにより構成されており、
前記第１ケース部材における前記コーナー部分に対応する領域には、前記コーナー部分を起点としてその両側の開口縁に延びる溝が刻設されており、
前記保護部材は、平面視において前記溝の形状に対応するＬ字状に曲折されており、前記溝に填め込まれている
ことを特徴とする請求項１に記載の電池パック。
【請求項３】
前記保護部材は、ピアノ線を用い形成されている
ことを特徴とする請求項１または２に記載の電池パック。
【請求項４】
前記保護部材は、金属板を用い形成されている
ことを特徴とする請求項１または２に記載の電池パック。
【請求項５】
前記コーナー部分に対応する領域において、前記コアパックの前記素電池の外面には、前記保護部材としてのカバー体が被着されている
ことを特徴とする請求項１に記載の電池パック。
【請求項６】
前記保護部材としてのカバー体は、金属板を用い形成されている
ことを特徴とする請求項５に記載の電池パック。
【請求項７】
前記保護部材としてのカバー体は、ゴムを用い形成されている
ことを特徴とする請求項５に記載の電池パック。
【請求項８】
機器への装着に際して、前記外装ケースの一部が、前記機器の外部へと突出し、
前記コーナー部分は、前記機器の外部へと突出する部分に存在する
ことを特徴とする請求項１から７の何れかに記載の電池パック。
【請求項９】
前記外装ケースは、樹脂材料を用い形成されている
ことを特徴とする請求項１から８の何れかに記載の電池パック。
【発明の詳細な説明】
【技術分野】
【０００１】
本発明は、電池パックに関し、特に、外部からの衝撃力に対し素電池を含むコアパックの保護のための構成に関する。
【背景技術】
【０００２】
電池パックは、例えば、ノートブック型パーソナルコンピュータ（ノートパソコン）や電動工具、さらには、電動自動車や電動アシスト自転車など多くの機器の電源として用いられている。
図８に示すように、例えば、従来技術に係る電池パックでは、上ケース部材９１１と下ケース部材９１２との係合により外装ケースが構成され、その内部に素電池９２１〜９２９および基板９３４などからなるコアパック９２０が収納された構成を有する。素電池９２１〜９２９は、リード板９３０〜９３３により相互に接続されており、基板９３４には、外部コネクタ９３５が実装されている。なお、上ケース部材９１１には、ラベル９４１が貼付され、下ケース部材９１２には、ラベル９４２が貼付されている。
【０００３】
電池パックは、ノートパソコン本体に対して、Ｙ軸方向手前に向けて挿入され、その一部がノートパソコン本体に内装される（内装部９ａ）。一方、電池パックの残りの部分はノートパソコン本体から外部に突出した状態となる（突出部９ｂ）。
ところで、電池パックは、落下の際などに突出部９ｂにおけるコーナー部分（矢印Ｇ，Ｈなどで指し示す部分）が接地した場合などには、局所的に大きな衝撃力が加わる。このとき、内部に収納されたコアパック、特にコーナー部分に対応する箇所に収納された素電池が変形しないようにすることが安全面から重要となる（矢印Ｉで指し示す部分）。
【０００４】
上記のような問題に対し、補強金属をインサート成型あるいはアウトサート成型することで外装ケースの機械的な強度の向上を図り、コーナー部分に対して外部から加わる衝撃力に対して収納された素電池などを保護しようとする技術も開発されている（例えば、特許文献１，２など）。
【先行技術文献】
【特許文献】
【０００５】
【特許文献１】特開２００９−２３８６４３号公報
【特許文献２】特開２００３−３０８８８１号公報
【発明の概要】
【発明が解決しようとする課題】
【０００６】
しかしながら、上記特許文献１，２などで提案されている技術を採用する場合には、補強金属を芯材としてインサート成型あるいはアウトサード成型を行い外装ケースを構成しているので、電池パックの重量およびコストの増大といった問題がある。また、特許文献１で提案されている技術では、外装ケースの長手方向に延設された直線状の金属ロッドを補強部材としているので、重量増加の割には機械的な強度補強が十分とは言えない。
【０００７】
本発明は、上記問題の解決を図るべくなされたものであって、落下などによる外部からの衝撃力に対しても、収納されたコアパックを確実に保護することができるとともに、コストおよび重量の増大を招き難い構成のパック電池を提供することを目的とする。
【課題を解決するための手段】
【０００８】
本発明は、上記目的を達成するために、次の構成を採用する。
本発明に係る電池パックは、外観視においてコーナー部分が含まれる外装ケースと、１または複数の素電池を含み、外装ケース内に収納されるコアパックとを備え、外装ケースのコーナー部分に対応した領域において、外装ケースの外壁面と、当該コーナー部分に対応するコアパックの一部との間に、保護部材が配設されており、保護部材は、コーナー部分を起点とする外装ケースの２側壁、あるいは、当該外装ケースの２側壁に対応するコアパックの２外面、の何れかに沿って曲折された形状であることを特徴とする。
【発明の効果】
【０００９】
本発明に係る電池パックでは、外装ケースのコーナー部分に対応した領域において、外装ケースの外壁面と、コアパックの一部との間に、保護部材が配設されている。このように、外装ケースの外壁面とコアパックの一部との間に、機械的な強度補強のための保護部材を設けることにより、外装ケースのコーナー部分を外部からの衝撃力に対して保護することができる。
【００１０】
また、本発明に係る電池パックでは、保護部材の形状が、上記特許文献１で提案されている技術のような直線状ではなく、上記２側壁あるいは２外面の何れかに沿って曲折された形状を有するので、上記特許文献１で提案されている技術に比べて、高い機械的剛性が得られる。よって、本発明に係る電池パックでは、上記特許文献１で提案されているようにケースの側壁の長手方向全域にわたって保護部材を設ける必要はなく、コーナー部分に限定して保護部材を設けることとしても、十分な機械的強度の補強が可能である。
【００１１】
また、本発明に係る電池パックでは、上記のように、コーナー部分に限定して保護部材を設けることとすることができるので、上記特許文献１で提案されている技術のように、側壁の長手方向の全体にわたって金属ロッドを設ける場合に比べて、重量の軽量化を図ることができ、また、コストの低減を図ることも可能である。
従って、本発明に係る電池パックは、落下などによる外部からの衝撃力に対しても、収納されたコアパックを確実に保護することができるとともに、コストおよび重量の増大を招き難い。
【００１２】
なお、保護部材の構成材料については、外装ケースの構成材料と同一であっても異なっていてもよい。
本発明に係る電池パックでは、例えば、次に示すようなバリエーションの技術を採用することができる。
本発明に係る電池パックは、上記構成において、外装ケースが、ともに皿状をした第１ケース部材と第２ケース部材とを、互いの開口部同士を向い合せに組み合わせることにより構成されており、第１ケース部材におけるコーナー部分に対応する領域には、当該コーナー部分を起点としてその両側の開口縁に延びる溝が刻設されている。そして、保護部材は、平面視において溝の形状に対応するＬ字状に曲折され、前記溝に填め込まれていることを特徴とする。このように、開口縁に形成された溝にＬ字状に曲折された保護部材を填め込むという構成を採用する場合には、重量およびコストの大きな増大を招くことなく、コーナー部分への衝撃力に対してコアパックの保護を図るという観点で更に優れる。
【００１３】
本発明に係る電池パックは、上記構成において、保護部材がピアノ線を用い形成されていることを特徴とする。このようにピアノ線を用い保護部材を形成する場合には、重量およびコストの大きな増大を招かないという観点から優れる。
本発明に係る電池パックは、上記構成において、保護部材が金属板を用い形成されていることを特徴とする。保護部材として金属板を用い、当該金属板を上記のようにＬ字状に曲折加工することにより、平板状の金属板などを用いる場合に比べて、機械的な剛性という観点から優れている。また、金属板をＬ字状に曲折することで、上記特許文献１で提案されているような厚みのある金属ロッドを用いる必要がなく、重量およびコストの大きな増大を招かないという観点から優れる。
【００１４】
本発明に係る電池パックは、上記構成において、コーナー部分に対応する領域において、コアパックの構成要素中の素電池の外面に、保護部材としてのカバー体が被着されていることを特徴とする。本発明に係る電池パックのように、素電池の外面にカバー体を被着させる構成を採用する場合にも、上記のように、保護部材であるカバー体がその外観の少なくとも２面の各一部に沿った形状となっているので、コーナー部分に対して加わる外部からの衝撃力に対して、効果的にコアパックにおける素電池を保護することができる。また、本発明の場合には、カバー体を素電池に被着するだけであるので、上記特許文献１で提案されている技術のように、インサート成型などにより金属ロッドを内部に備える構成を採用するような場合に比べて、製造が簡単であり、製造コストという観点から優れている。また、本発明においても、ケース部材の側壁の長手方向全体にわたって金属ロッドを付与する従来技術に比べて、重量の大きな増大を招かないということでも優れる。
【００１５】
本発明に係る電池パックは、上記構成において、保護部材としてのカバー体が、金属板を用い形成されていることを特徴とする。カバー体を金属板で構成する場合には、曲折加工にし易さや、電池パックの製造時などにおける部品のハンドリングのし易さといった観点から優れる。
本発明に係る電池パックは、上記構成において、保護部材としてのカバー体が、ゴムを用い形成されていることを特徴とする。カバー体をゴムで構成する場合には、衝撃吸収性に優れるというゴムの特性により、コーナー部分に加わる衝撃力から効果的にコアパックの素電池を保護でき、また、上記同様に、製造時における部品のハンドリングのし易さといった観点で優れる。さらに、カバー体をゴムで構成する場合には、電池パックの製造時において、外装ケースとコアパックにおける素電池との間の隙間についての誤差を吸収することができる。よって、製造の容易性という観点からも優れる。
【００１６】
本発明に係る電池パックは、上記構成において、機器への装着に際して、外装ケースの一部が機器の外部へと突出し、上記コーナー部分が、機器の外部へと突出する部分に存在することを特徴とする。
本発明に係る電池パックは、上記構成において、外装ケースが樹脂材料を用い形成されていることを特徴とする。
【図面の簡単な説明】
【００１７】
【図１】実施の形態１に係る電池パック１の外観構成を示す模式斜視図である。
【図２】電池パック１の内部構成を示す模式展開斜視図である。
【図３】電池パック１におけるコーナー部分の構成を示す模式斜視図である。
【図４】変形例１に係る電池パックにおけるコーナー部分の構成を示す模式斜視図である。
【図５】実施の形態２に係る電池パックの内部構成を示す模式斜視図である。
【図６】実施の形態２に係る電池パックでの素電池２２３と保護部材２５１との配置関係を示す模式斜視図である。
【図７】変形例２に係る電池パックでの素電池３２３と保護部材３５１との配置関係を示す模式斜視図である。
【図８】従来技術に係る電池パックの内部構成を示す模式展開斜視図である。
【発明を実施するための形態】
【００１８】
以下では、本発明を実施するための形態およびその変形例について、図面を参酌しながら説明する。なお、以下で示す具体例は、本発明の構成およびその構成から奏される作用・効果を分かりやすく説明するために用いる一例であって、本発明は、特徴とする主要な構成部分以外について、以下の具体例に何ら限定を受けるものではない。
［実施の形態１］
実施の形態１では、ノートパソコン用の電池パック１を一例として構成上の特徴およびこれから奏される作用・効果について説明する。
【００１９】
１．外観構成
実施の形態１に係る電池パック１の外観構成について、図１を用い説明する。
図１に示すように、実施の形態１に係る電池パック１では、第１ケース部材としての上ケース部材１１と第２ケース部材としての下ケース部材１２との組み合わせを以って外装ケース１０が構成されている。外装ケース１０におけるＹ軸方向手前側には、外部コネクタ３５が外部に露出している。外装ケース１０を構成する上ケース部材１１および下ケース部材１２は、ともに樹脂材料を用い形成されている。
【００２０】
上ケース部材１１の底壁外面（Ｚ軸方向上側の面）には、ラベル４１が貼付されている。
なお、電池パック１は、装着対象であるノートパソコンに対して、Ｙ軸方向手前に向けて装着され、その一部がノートパソコンの内部に収容された状態となる（内装部１ａ）。そして、電池パック１における残りの部分については、ノートパソコンから外部に突出した状態となる（突出部１ｂ）。
【００２１】
２．内部構成
電池パック１の内部構成について、図２を用い説明する。
図２に示すように、電池パック１では、上ケース部材１１と下ケース部材１２との組み合わせを以って構成される外装ケース１０の内部空間に、コアパック２０が収納されている。上ケース部材１１と下ケース部材１２とは、上ケース部材１１の側壁１１ｂが、二重構造（互いに並立する外側壁と内リブとの組み合わせ構造）となっている下ケース部材１２の側壁１２ｂに対して係合することで組み合わせられる。
【００２２】
なお、上ケース部材１１のＺ軸方向の上面１１ａには、上記のように、ラベル４１が添付されており、同様に、下ケース部材１２の底壁外面には、ラベル４２が添付されている。
コアパック２０は、９本の素電池２１〜２９と、これらの間を接続するリード板３０〜３３、さらには、リード板３０〜３３を介して接続される基板３４などから構成されている。基板３４には、外部コネクタ３５が実装されており、下ケース部材１２の窓部１２ｃなどを通して外部露出するようになっている。
【００２３】
素電池２１〜２９は、互いに同一のサイズおよび形状を有し、例えば、円筒形のリチウムイオン二次電池である。
なお、電池パック１では、Ｙ軸方向の奥側の突出部１ｂ（図１を参照）がノートパソコンから外部に突出する部分となり、矢印Ｂおよび矢印Ｃで指し示す各コーナー部分が、図１における矢印Ａで指し示すコーナー部分に相当する。また、矢印Ｄで示すコーナー部分についても、電池パック１をノートパソコンに装着した際にも、外部に突出する部分に含まれる。
【００２４】
３．電池パック１におけるコーナー部分の構成
電池パック１におけるコーナー部分の構成について、図３を用い説明する。なお、図３は、電池パック１における突出部１ｂに存在するコーナー部分（図２における矢印Ｃで指し示すコーナー部分）を模式的に拡大して示す模式斜視図である。
図３に示すように、下ケース部材１２における側壁１２ｂには、コーナー部分（矢印Ｃで指し示す部分）を起点として、これからＸ軸方向およびＹ軸方向にそれぞれ伸びる側壁上面（Ｚ軸方向上側の縁端面）に、溝部１２ｄが刻設されている。溝部１２ｄは、コーナー部分でＸ軸方向に延びる部分とＹ軸方向に延びる部分とが互いに連続している。
【００２５】
下ケース部材１２に設けられた溝部１２ｄに対しては、溝部１２ｄの形状に対応してＬ字状に形成された保護部材５０が填め込まれている。保護部材５０は、例えば、炭素鋼線の一種であるピアノ線（ＳＷＰ；ＪＩＳ  Ｇ３５２２）から構成され、溝部１２ｄの形状に合わせて、予め曲折加工されたものである。
なお、図３では、図示をしていないが、電池パック１における突出部１ｂのもう一方のコーナー部分（図２における矢印Ｄで指し示す部分）についても、同様に保護部材５０が下ケース部材１２に対して附帯されている。
【００２６】
４．優位性
電池パック１では、下ケース部材１２におけるコーナー部分に設けられた溝部１２ｄに、ピアノ線を曲折加工した保護部材５０が填め込まれている。保護部材５０は、Ｌ字状をしており、図３に示すように、Ｘ軸方向に延びる部分は、コアパック２０における素電池２３の外周面の一部に沿っており、Ｙ軸方向に延びる部分は、素電池２２，２３の端面の一部に沿っている。
【００２７】
保護部材５０は、上ケース部材１１および下ケース部材１２を構成する樹脂材料よりも高い機械的強度を有する材料（ピアノ線）からなり、且つ、Ｌ字状に曲折されているので、保護部材５０の厚みが薄くても、外装ケース１０のコーナー部分を機械的に補強する効果が高い。
電池パック１では、ピアノ線を曲折加工してなる保護部材５０により、下ケース部材１２におけるコーナー部分の機械的強度の向上を図ることができる。このため、ピアノ線を曲折加工するだけで得られる保護部材５０により、コーナー部分（図１に示す突出部１ｂに存在するコーナー部分）に対して外部から加わる衝撃力からコアパック２０、特に素電池２１〜２９を保護することができる。よって、上記特許文献１で提案されている外装ケースの側壁の長手方向全体にわたって平面状の金属ロッドを附帯するものに比べて、簡易な構成を以ってコアパック２０の保護を図ることができる。
【００２８】
なお、保護部材５０については、図３のＸ軸方向およびＹ軸方向のそれぞれに延びる長さに特に限定はないが、機械的な強度向上を実質的に図ることができる程度あれば十分であり、Ｘ軸方向あるいはＹ軸方向に延びる側壁の長手方向全体にわたる長さとする必要はない。このように、コーナー部分に限定して保護部材５０を附帯することにより、重量およびコストの増大を抑えることが可能となる。
【００２９】
また、電池パック１における保護部材５０は、下ケース部材１２の側壁１２ｂに刻設された溝部１２ｄに対して填め込まれているだけであるので、上記特許文献１で提案されているような、金属ロッドをインサート成型あるいはアウトサート成型するような場合に比べて、部品コストおよび製造コストの低減を図ることができるという観点から優位である。
【００３０】
以上のように、本実施の形態１に係る電池パック１の構成を採用する場合には、落下などによる外部からの衝撃力に対しても、外装ケース１０の内部に収納されたコアパック２０を確実に保護することができるとともに、重量およびコストの大幅な増大を招き難い。
［変形例１］
変形例１に係る電池パックの構成について、図４を用い説明する。なお、以下の説明では、その特徴となる部分に絞って説明し、他の構成については上記実施の形態１と同様であるので、その説明を省略する。
【００３１】
図４に示すように、変形例１に係る電池パックでは、上ケース部材１１１におけるコーナー部分において、その側壁１１１ｂに保護部材１５０が填め込まれている。保護部材１５０は、短冊状の金属板が平面視Ｌ字状に曲折加工されてなるものである。保護部材１５０は、予め上ケース部材１１１の側壁１１１ｂの縁端面に刻設された溝部に填め込まれている。なお、保護部材１５０は、上ケース部材１１１に填め込まれた状態においても、図４に示すように、その幅方向の一部がＺ軸方向上向き（下ケース部材に向けた方向）に突設している。
【００３２】
図４では、図示を省略しているが、下ケース部材においても、上ケース部材１１１の保護部材１５０が填め込まれた箇所に対応して、溝部が刻設されており、保護部材１５０の上ケース部材１１１の側壁１１１ｂから突設した部分が填め込まれるようになっている。
本変形例に係る電池パックにおいても、コーナー部分に限定した状態で、且つ、平面視Ｌ字状の保護部材１５０が外装ケースに附帯されているので、コーナー部分に対し外部から衝撃力が加えられた場合にも、保護部材１５０が外装ケースの機械的強度の向上に寄与する。このため、保護部材１５０が、上記実施の形態１に係る保護部材５０と同様に、内部に収納されるコアパックを保護する役割を果たす。
【００３３】
なお、本変形例では、保護部材１５０が上ケース部材１１１と下ケース部材に跨る状態で附帯される構成を採用したが、一方にだけ附帯される構成とすることもできる。例えば、図４に示す上ケース部材１１１の溝部を更に深く刻設し、保護部材１５０がその溝部に完全に埋没させることもできる。
［実施の形態２］
実施の形態２に係る電池パックの構成について、図５および図６を用い説明する。なお、図５では、上ケース部材を外した状態の電池パックを表している。
【００３４】
図５に示すように、下ケース部材２１２を一方の構成要素とする外装ケース内に、コアパック２２０が収納されている。コアパック２２０は、上記実施の形態１のコアパック２０と同様に、９本の素電池２２１〜２２９とこれらを接続するリード板、さらには基板２３４などから構成されている。
本実施の形態に係る電池パックでは、ノートパソコンへの装着時に突出する部分に存在するコーナー部分（矢印Ｅおよび矢印Ｆで指し示す部分）において、下ケース部材２１２および上ケース部材（図示を省略）と素電池２２３，２２９との間に、カバー体である保護部材２５０，２５１が挿入されている。保護部材２５０，２５１の形態について、図６を用い説明する。なお、図６では、保護部材２５１を一例として表しているが、保護部材２５０についても、同様の形態を有する。
【００３５】
図６に示すように、保護部材２５１は、素電池２２３の外周面２２３ａの一部と、素電池２２３の端面２２３ｂの一部とを覆うことができる形態に形成されている。具体的には、図６の二点鎖線で囲んだ部分に示すように、弧を描くように形成された外周面対応部分２５１ａと、平面状に形成された端面対応部分２５１ｂとが一体になって保護部材２５１が構成されている。
【００３６】
なお、図５などでは示していないが、素電池２２３および素電池２２９に対して、保護部材２５０および保護部材２５１を粘着テープなどで貼り付けておくこともできる。このようにすることにより、電池パックの製造時における煩雑さを解消することができる。
本実施の形態２に係る電池パックでは、外装ケースとコアパック２２０との間に保護部材２５０，２５１を介挿させることとした。図５に示すように、保護部材２５０，２５１の介挿箇所は、ノートパソコンへの装着時において、ノートパソコンから突出する部分に存在する各コーナー部分（矢印Ｅおよび矢印Ｆで指し示す部分）である。このように介挿された保護部材２５０，２５１は、上記実施の形態１および変形例１における保護部材５０，１５０と同様に、コーナー部分に対し外部から衝撃力が加わった場合にコアパック２２０がダメージを受けることを防止する役割を果たす。
【００３７】
また、本実施の形態２に係る電池パックでも、保護部材２５０，２５１をコーナー部分に限定して介挿させているので、上記特許文献１で提案された技術のように、外装ケースの側壁の長手方向全体にわたって金属ロッドを附帯させる場合に比べて、重量およびコストの大きな増大を抑えることができる。
さらに、本実施の形態２に係る電池パックでは、保護部材２５０，２５１を外装ケースとコアパック２２０との間に介挿させるだけであるので、下ケース部材１２あるいは上ケース部材１１１の側壁１２ｂ，１１１ｂに溝部１２ｄ，・・を刻設する上記実施の形態１および上記変形例１に比べて、外装ケースの加工が必要なく、部品製造時における工数の低減を図ることが可能となる。これもコストの低減に結びつく。
【００３８】
なお、保護部材２５０，２５１の構成材料については、特に制限はないが、例えば、加工の容易さなどから金属板などを用いることができる。金属板を用いる場合には、プレス加工などにより、図６に示すような形態とすることが容易にできる。
また、保護部材２５０，２５１をゴムなどの柔軟性を有する材料を用い形成することもできる。このような材料を用いる場合には、保護部材２５０，２５１が外部から加わる衝撃力に抗するのではなく、衝撃力を吸収する緩衝部として機能し、これにより外部からの衝撃力に対してコアパック２２０が保護されることになる。ゴムを用いて保護部材２５０，２５１を構成する場合には、さらに、コアパック２２０と外装ケースとの隙間寸法にバラツキを生じた場合にも、ゴムの柔軟性を利用して、間に介挿することができ、製造上における寸法上のバラツキを吸収する役割も果たすことができる。さらに、電池パックの製造時における保護部材２５０，２５１のハンドリング性も優れる。
【００３９】
［変形例２］
変形例２に係る保護部材３５１の形態について、図７を用い説明する。なお、変形例２に係る電池パックの他の構成部分については、図５に示す上記実施の形態２に係る電池パックと同様である。
図７に示すように、本変形例に係る保護部材３５１は、Ｘ軸方向に延びる部分と、Ｙ軸方向に延びる部分とが一体に形成された、平面視Ｌ字状をなすものである。保護部材３５１におけるＸ軸方向に延びる部分は、素電池３２３における外周面３２３ａの一部に沿い、Ｙ軸方向に延びる部分は、素電池３２３の端面３２３ｂの一部に沿う。
【００４０】
なお、本変形例に係る保護部材３５１についても、その構成材料に限定はないが、上記同様に、金属板やゴムなどを用いることができる。また、素電池３２３に対して、粘着テープなどを用いて予め貼り付けておくこともできる。
本変形例においても、上記実施の形態２と同様の効果を奏することができる。
［その他の事項］
上記実施の形態１，２および上記変形例１，２で用いた実施例は、一例であって、本発明は、その形態などに限定を受けるものではない。例えば、上記実施の形態１，２および上記変形例１，２では、外装ケースが扁平な直方体形状のものとし、これ以外にも、非扁平な直方体形状や円筒形状の外装ケースを備える電池パックについても、上記構成を採用することができる。この場合にも、外部に突出する部分に存在するコーナー部分に上記構成を適用することで、同様の効果を得ることができる。
【００４１】
また、実施の形態１，２および上記変形例１，２では、ノートパソコンに装着する電池パックを一例として採用したが、本発明は、これに限らず電動工具に用いる電池パックや、電動アシスト自転車、電動バイク、ハイブリッド自動車（ＨＥＶ）、あるいは電気自動車（ＰＥＶ）などを装着対象とする電池パックに対しても適用することが可能である。
また、コアパック２０，２２０に備えられる素電池２１〜２９、２２１〜２２９について、円筒形のリチウムイオン二次電池を適用することとしたが、本発明は、これに限定を受けるものでもない。例えば、素電池の形態については、角形のものを採用することもでき、電池の種類についても、例えば、ニッケルカドミウム二次電池やニッケル水素二次電池などのアルカリ二次電池を採用することもできる。さらに、金属ラミネートで外装が形成された電池やキャパシタ（電気二重層キャパシタ、リチウムイオンキャパシタなど）などとすることもできる。
【００４２】
また、図３に示すように、上記実施の形態１では、ピアノ線を曲折加工することにより保護部材５０を構成する一例を採用したが、保護部材の構成材料として、これ以外にも、角形断面の棒材や、アングル状もしくはチャネル状の断面形状の棒材などを用いることもできる。保護部材の材料についても、炭素鋼などの金属材料以外にも、芳香族ポリアミド系などの樹脂材料や、ＦＲＰ（Ｆｉｂｅｒ  Ｒｅｉｎｆｏｒｃｅｄ  Ｐｌａｓｔｉｃｓ）などの複合材料などを用いることもできる。
【００４３】
また、上記実施の形態１および変形例１では、ケース部材１２，１１１の側壁１２ｂ，１１１ｂの縁端上面に溝部を形成し、これに保護部材５０，１５０を填め込むこととしたが、ケース部材の側壁の内側面に溝部を刻設して、当該溝部に保護部材を填め込むという構成を採用することもできる。
さらに、上記実施の形態１，２および上記変形例１，２では、対象機器への装着時に外部に突出する部分に存在するコーナー部分に保護部材５０，１５０，２５０，２５１，３５１を附帯することとしたが、対象機器に内装される部分に存在するコーナー部分についても、保護部材を附帯させることもできる。この場合には、さらに確実にコアパックの保護を図ることができる。
【産業上の利用可能性】
【００４４】
本発明は、モバイル機器に装着され、外部からの衝撃力を受けた場合にも高い安全性が確保される電池パックを低コスト、軽量に実現するのに有用である。
【符号の説明】
【００４５】
１．電池パック
１ａ．内装部
１ｂ．突出部
１０．外装ケース
１１，１１１．上ケース部材
１２，２１２．下ケース部材
１２ｄ．溝部
２０，２２０．コアパック
２１〜２９，２２１〜２２９，３２３．素電池
３０〜３３．リード板
３４，２３４．基板
３５．外部コネクタ
４１．ラベル
５０，１５０，２５０，２５１，３５１．保護部材
【図１】
2011198472.tif 000003
【図２】
2011198472.tif 000004
【図３】
2011198472.tif 000005
【図４】
2011198472.tif 000006
【図５】
2011198472.tif 000007
【図６】
2011198472.tif 000008
【図７】
2011198472.tif 000009
【図８】
2011198472.tif 000010